(57)【要約】【課題】従来、エプロンベルトのドラフトローラーへの捲きつき角度を減少させることなく、張りすぎのエプロンベルトのテンションを吸収することができなかった。【解決手段】エプロンドラフト装置１のボトム側のエプロンベルト２１の張りと位置とを規制するテンサーバー２２を支持するテンサーバー支持装置１００であって、テンサーバー２２と、このテンサーバー２２をエプロンドラフト装置１のフレーム８に支持するテンサーバーブラケット３０との間に板バネ３３を設置し、特に、テンサーバー３３を支持する第一片３１と、フレーム８に固定される第二片３２との分割構成とすると共に、板バネ３３により第一片および第二片を連結する。【選択図】図１
2008081865.tif 000002
【特許請求の範囲】
【請求項１】
エプロンドラフト装置のボトム側のエプロンベルトの張りと位置とを規制するテンサーバーを支持する装置であって、
前記テンサーバーと、このテンサーバーを前記エプロンドラフト装置のフレームに支持するテンサーバーブラケットとの間に、該テンサーバーを前記エプロンベルトのテンションの作用する方向で可動とするためのスプリング要素を設置した、
ことを特徴とするテンサーバー支持装置。
【請求項２】
前記テンサーバーブラケットを、前記テンサーバーを支持する第一片と、前記フレームに固定される第二片との分割構成とすると共に、
前記スプリング要素を、第一片および第二片を連結する板バネとする、
ことを特徴とする請求項１に記載のテンサーバー支持装置。
【請求項３】
前記テンサーバーブラケット上に支軸を設け、該支軸にアームの一端を回動可能に取り付け、該アームの他端側に前記テンサーバーを回動可能に取り付け、前記スプリング要素を前記支軸の外側にはめ込むトーションバネとし、このトーションバネにより前記アームと前記テンサーバーブラケットとを連結する、
ことを特徴とする、請求項１に記載のテンサーバー支持装置。
【請求項４】
前記テンサーバーブラケットのテンサーバー取付部と、前記テンサーバーとを、前記エプロンベルトのテンションの作用する方向で対向するように配置し、
このテンサーバー取付部と、前記テンサーバーとの間に、前記スプリング要素を配置する、
ことを特徴とする請求項１に記載のテンサーバー支持装置。
【発明の詳細な説明】
【技術分野】
【０００１】
エプロンドラフト装置のボトム側のエプロンベルトの張りと位置とを規制するテンサーバーを支持する装置に関する。
【背景技術】
【０００２】
従来、エプロンドラフト装置のエプロンベルトは、テンサーバーという固定されたガイドにより、張りと位置を規制している。リング精紡をみるとエプロンベルトを長くし、テンサーとローラの間にテンショナー（エプロンテンショナー）をおいて一定の張りをエプロンベルトにかけているものもある（特許文献１）。
【特許文献１】実開平５−１９３７２号公報
【発明の開示】
【発明が解決しようとする課題】
【０００３】
エプロンドラフト装置のエプロンベルトは、糸種によって、または客先の入手条件によってメーカーが変わることがある。紡績用エプロンはゴム製品であり、メーカーにより製造方法、ゴム材質が異なるため、弾性率が異なることが多い。
図８に示すように、現状のテンサーバー２２は固定式である。より詳しくは、このテンサーバー２２は、紡績機のフレームに固定される凸形状のテンサーバーブラケット４３０に支持固定される構成である。このため、柔らかいまたは内径の大きいエプロンではゆるみが発生、硬い、内径の小さいエプロンでは、張りすぎとなっている。ゆるすぎる場合はたるみで破断する、張りすぎの場合は異常摩耗により寿命が短くなる等の問題が起きることがある。
一方、エプロンテンショナー付き（特許文献１）の場合、このエプロンテンショナーでエプロンベルトを外側に張り出すことでエプロンベルトにかかるテンションを適切とすることができるが、エプロンベルトのドラフトローラーへの捲きつき角度が小さくなり、エプロンベルトの駆動が不安定になる欠点がある。
【０００４】
つまり、解決しようとする問題点は、従来、エプロンベルトのドラフトローラーへの捲きつき角度を減少させることなく、張りすぎのエプロンベルトのテンションを吸収することができなかった点である。
【課題を解決するための手段】
【０００５】
本発明の解決しようとする課題は以上の如くであり、次にこの課題を解決するための手段を説明する。
【０００６】
請求項１に係るテンサーバー支持装置は、
前記テンサーバーと、このテンサーバーを前記エプロンドラフト装置のフレームに支持するテンサーバーブラケットとの間に、該テンサーバーを前記エプロンベルトのテンションの作用する方向で可動とするためのスプリング要素を設置した、ものである。
【０００７】
請求項２に係るテンサーバー支持装置は、請求項１において、次の構成としたものである。
前記テンサーバーブラケットを、前記テンサーバーを支持する第一片と、前記フレームに固定される第二片との分割構成とすると共に、
前記スプリング要素を、第一片および第二片を連結する板バネとする、ものである。
【０００８】
請求項３に係るテンサーバー支持装置は、請求項１において、次の構成としたものである。
前記テンサーバーブラケット上に支軸を設け、該支軸にアームの一端を回動可能に取り付け、該アームの他端側に前記テンサーバーを回動可能に取り付け、前記スプリング要素を前記支軸の外側にはめ込むトーションバネとし、このトーションバネにより前記アームと前記テンサーバーブラケットとを連結する、ものである。
【０００９】
請求項４に係るテンサーバー支持装置は、請求項１において、次の構成としたものである。
前記テンサーバーブラケットのテンサーバー取付部と、前記テンサーバーとを、前記エプロンベルトのテンションの作用する方向で対向するように配置し、
このテンサーバー取付部と、前記テンサーバーとの間に、前記スプリング要素を配置する、ものである。
【発明の効果】
【００１０】
本発明の効果として、以下に示すような効果を奏する。
【００１１】
本発明においては、
張りすぎのエプロンベルトのテンションを吸収することができる。しかも、テンサーバーをスプリング要素により支持し、このスプリング要素の弾性変形を利用することでエプロンベルトのテンションを吸収する構成であるので、エプロンベルトのドラフトローラーへの捲きつき角度を減少させることもなく、エプロンベルトの駆動を不安定にすることもない。
【００１２】
特に、請求項２に係る発明においては、前記効果に加えて、
スプリング要素の設置されたテンサーバーブラケットの構造を簡素化できる。
【発明を実施するための最良の形態】
【００１３】
本発明の実施の形態を、図面を用いて説明する。
テンサーバー支持装置の異なる実施例を、以下では図面参照用の符号の違いにより区別する。テンサーバー支持装置１００は実施例１、テンサーバー支持装置２００は実施例２、テンサーバー支持装置３００は実施例３、テンサーバー支持装置４００は実施例４である。
【実施例１】
【００１４】
図１を用いて、まず、エプロンドラフト装置１について説明する。
エプロンドラフト装置１は、紡績に用いるスライバ（繊維束）２をドラフト（延伸）する装置である。このエプロンドラフト装置１には、スライバを挟み込む一対のドラフトローラとして、第一ドラフトローラ対３と、第二ドラフトローラ対４とが備えられている。第二ドラフトローラ対４を構成する第二トップローラ１０および第二ボトムローラ２０にはそれぞれエプロンベルト１１・２１が巻回されている。
そして、第一ドラフトローラ対１０を構成する第一トップロー５および第一ボトムローラ６の周速度を、第二ドラフトローラ対４を構成する第二トップローラ１０および第二ボトムローラ２０の周速度よりも大きくすることで、ローラ対間３・４でスライバ２を引き伸ばすものである。
ここで、図１の右から左に向けてスライバ２は送り出されるものであり、スライバ２の走行方向に対して、第一ドラフトローラ対３が下流側、第二ドラフトローラ対４が上流側に位置する。
なお、図１においては、エプロンドラフト装置１を、二線式（ドラフトローラ対が二対）のドラフト装置としているが、三線式以上としてもよい。
【００１５】
エプロンドラフト装置１には、第二トップローラ１０および第二ボトムローラ２０のそれぞれに対応して、前述したエプロンベルト１１・２１と、テンサーバー１２・２２とが設けられている。テンサーバー１２・２２はそれぞれ、エプロンベルト１１・２１の張り（テンション）と、エプロンベルト１１・２１の位置とを規制する手段となっている。
ここで、エプロンベルト１１は、第二トップローラ１０とテンサーバー１２とを巻回するように設けられ、エプロンベルト２２は、第二ボトムローラ２０とテンサーバー２２とを巻回するように設けられる。このため、エプロンベルト１１の張りや位置が第二トップローラ１０とテンサーバー１２との位置関係によって決定され、エプロンベルト２１の張りや位置が第二ボトムローラ２０とテンサーバー２２との位置関係によって決定される。
【００１６】
ここで、トップ側の部材である第二トップローラ１０とテンサーバー１２とはクレードルフレーム７に支持固定され、ボトム側の部材である第二ボトムローラ２０とテンサーバー２２とはメインフレーム８に支持固定される構成である。このメインフレーム８は、エプロンドラフト装置１のボトム側の部材を支持するフレームであるが、エプロンドラフト装置１が配置される紡績機全体のフレームでもある。
また、クレードルフレーム７はメインフレーム８に対して回動自在に設けられ、ドラフトローラ対３・４に備えるトップ側のローラ５・１０と、ボトム側のローラ６・２０とを離間させることができるように構成されている。
【００１７】
図１を用いて、テンサーバー支持装置１００を説明する。
テンサーバー支持装置１００は、ボトム側のテンサーバー２２をメインフレーム８に支持する装置である。このテンサーバー支持装置１００には、テンサーバー２２と、板バネ３３付きのテンサーバーブラケット３０と、が備えられている。板バネ３３付きのテンサーバーブラケット３０は、メインフレーム８に支持される構成となっている。
ここで、メインフレーム８のテンサーバーブラケット３０を支持する部位は、エプロンベルト１１・２１間におけるスライバ２の走行方向と平行な面に形成されている。そして、メインフレーム８上に垂直に立設されたテンサーバーブラケット３０の先端にテンサーバー２２が固定されるものとなっている。
【００１８】
図２に示すように、テンサーバーブラケット３０は第一片３１と第二片３２とに二分割される構成であるが、その全体形状は凸形状であり、このテンサーバーブラケット３０の凸側の出っ張り側先端部分に、テンサーバー２２が固定される。テンサーバー２２が固定されたテンサーバーブラケット３０の全体形状は、「エ」字型となっている。
図２において、テンサーバー２２およびテンサーバーブラケット３０の長手方向（図２において左上から右下に向かう方向）は、図１に示す第二ボトムローラ２０等のドラフトローラの軸方向と一致する。また、テンサーバーブラケット３０が凸形状に見える際の視線方向（図２において左下から右上へと向かう方向）が、スライバ２の走行方向と一致する。
以下、スライバ２の走行方向を前後方向とし、第二ボトムローラ２０等のドラフトローラの軸方向を左右方向とする。
【００１９】
なお、テンサーバー２２およびテンサーバーブラケット３０は、二錘分のスライバ２に対応するものとなっている。
ここで、紡績機においては、一錘の紡績に係る装置群たる紡績ユニットが左右方向に並列に配置されるものとなっている。各紡績ユニットには、エプロンドラフト装置１が備えられており、隣り合う紡績ユニットのエプロンドラフト装置１同士も左右方向で隣り合う位置関係にある。そこで、隣り合う二錘のエプロンドラフト装置１・１間で、テンサーバー２２およびテンサーバーブラケット３０が共用されるように、テンサーバー２２およびテンサーバーブラケット３０が左右方向で長手に形成されている。
テンサーバー２２の左部と右部とがそれぞれ、異なるエプロンドラフト装置１・１のエプロンベルト２２・２２内に配置される。
【００２０】
テンサーバーブラケット３０は、前述したように、第一片３１と、第二片３２とに分割される構成である。第一片３１が凸形状の出っ張り側部分を構成する矩形の板状部材であり、第二片３２が凸形状の底辺側部分を構成する同じく矩形の板状部材である。第二片３２の方が、第一片３１よりも幅が狭く左右方向に長手となっている。
そして、テンサーバー２２は第一片３１に固定されるものであり、第二片３２がメインフレーム８に固定されるものとなっている。
【００２１】
テンサーバーブラケット３０を構成する第一片３１および第二片３２は、スプリング要素としての板バネ３３により連結される。
より詳しくは、第一片３１の背面３１ａおよび第二片３２の背面３２ａが同一面上に位置するように、第一片３１および第二片３２を並べて配置すると共に、背面３１ａ・３２ａに同時に接触するように、板状部材とした板バネ３３の板面（面積最大の面）を配置する。そして、第一片３１と板バネ３３とを固定すると共に、第二片３２と板バネ３３とを固定して、第一片３１と第二片３２とを板バネ３３を介して連結する。
【００２２】
なお、図１における右側を、エプロンドラフト装置１（テンサーバーブラケット３０）の前側（正面側）とし、図１における左側を、エプロンドラフト装置１（テンサーバーブラケット３０）の後側（背面側）としている。スライバ２の走行方向は、前後方向において後から前へと向かう方向である。このため、テンサーバーブラケット３０に板バネ３３が配置される側は、テンサーバーブラケット３０（第一片３１および第二片３２）の背面側となっている。
【００２３】
以上構成により、テンサーバー２２が固定される第一片３１が前側から力を受けた場合に、板バネ３３の有する弾性が、第一片３１を前側に押し返す作用を発揮する。
【００２４】
ここで、エプロンベルト２１は、取り付けられた際に緩まないようにするため、第二ボトムローラ２０とテンサーバー２２とを巻回するのに必要な実際の周長よりも、若干短い周長で製造されている。そして、エプロンベルト２１が取り付けられた際には、このエプロンベルト２１が有する弾性により、その自然長さの周長より引き伸ばされて、前記巻回するのに必要な周長になるようにしている。
このようにエプロンベルト２１が引き伸ばされて取り付けられることにより、エプロンベルト２１はテンション（張り）のある状態で、第二ボトムローラ２０とテンサーバー２２とを巻回する。
このとき、このエプロンベルト２１が自然長さに収縮しようとする力により、第二ボトムローラ２０とテンサーバー２２とは、第二ボトムローラ２０とテンサーバー２２とを接近させる向きの力を受ける。この接近させる向きの力を部分的に吸収して、エプロンベルト２１の張り過ぎを防止するための手段が、テンサーバーブラケット３０に配置されるスプリング要素としての板バネ３３である。
【００２５】
図１に示すように、板バネ３３は、第二片３２に対して第一片３１を前後方向で可動とするように支持している。第一片３１と一体のテンサーバー２２がエプロンベルト２１のテンションに押されて後方へずれて、その分だけエプロンベルト２１の周長が短縮され、エプロンベルト２１のテンションが低下する。
このように、板バネ３３は、第二片３２（テンサーバー２２）を、エプロンベルト２１のテンションの作用する方向（ベルトを張る方向および緩める方向）で可動となるようにして支持している。このため、テンサーバー支持装置１００により、張りすぎのエプロンベルト２１のテンションを吸収することができる。しかも、テンサーバー２２自体に板バネ３３の付勢力を作用させることでエプロンベルト２１のテンションを吸収する構成であるので、テンションローラを用いてエプロンベルト２１を外側に張り出すことでテンション調整を行う場合のようにエプロンベルト２１のドラフトローラー（第二ボトムローラ２０）への捲きつき角度を減少させることもなく、エプロンベルト２１の駆動を不安定にすることもない。
【実施例２】
【００２６】
図３、図４を用いて、実施例２のテンサーバー支持装置２００について説明する。
実施例１と実施例２とで相違するのはテンサーバー支持装置の構成のみであり、エプロンドラフト装置についてはテンサーバー支持装置を除いて同一の構成であるので、以下では、同一部材については同符号を用いると共に、その部材についての説明を省略する。
【００２７】
テンサーバー支持装置２００は、ボトム側の二錘分のテンサーバー１２２・１２２をメインフレーム８に支持する装置である。実施例１のテンサーバー２２が、二錘分に対応する左右方向の長手部材であったのに対して、実施例２のテンサーバー１２２は一錘に対応する幅（一つのエプロンベルト２１に対応する幅）となっている。つまり、実施例２のテンサーバー１２２は各錘に対応するテンサーバーである。
【００２８】
このテンサーバー支持装置２００には、テンサーバー１２２・１２２と、支軸１３１・１３１と、アーム１３２・１３２と、トーションバネ１３３・１３３と、テンサーバーブラケット１３０と、が備えられている。テンサーバーブラケット１３０は、メインフレーム８に支持される構成となっている。また、トーションバネ１３３・１３３は、テンサーバー１２２・１２２を可動とするために、テンサーバーブラケット１３０に配置されるスプリング要素である。
【００２９】
テンサーバーブラケット１３０の形状は凸形状であり、この凸側の出っ張り側先端面上に、左右のテンサーバー１２２・１２２に対応する支軸１３１・１３１が、左右に離間した位置で固定されている。
各支軸１３１には、左右方向外側へ延出するように配置されるアーム１３２が回転自在に設けられる。このアーム１３２の一端に支軸１３１が回転自在に取り付けられ、このアーム１３２の他端にはテンサーバー１２２が回転自在に取り付けられる。そして、テンサーバー１２２を、支軸１３１を中心とする円周上で移動自在としながら、エプロンベルト２１が巻回されるテンサーバー１２２の姿勢（前後方向に対する姿勢）を傾けることなく一定に保つことができるようにしている。
また、支軸１３１の外側にはトーションバネ１３３のコイル部分がはめ込まれて、このトーションバネ１３３の一端がテンサーバーブラケット１３０に固定されると共に、このトーションバネ１３３の他端がアーム１３２の中途部に固定されている。このため、支軸１３１回りに回転自在のアーム１３２（テンサーバー１２２）は、トーションバネ１３３により、一定位置（中立位置）に保たれると共に、この中立位置から外力を受けて移動させられると中立位置に復帰する向きの力を受ける。
ここで、アーム１３２（テンサーバー１２２）は、トーションバネ１３３の弾性力により、実質的に中立位置の周辺でしか移動しないため、アーム１３２（テンサーバー１２２）の移動軌跡は実際には円弧であるが、実質的には前後方向の直線に等しいものとなっている。
【００３０】
このように、スプリング要素としてのトーションバネ１３３は、アーム１３２（テンサーバー１２２）を、エプロンベルト２１のテンションの作用する方向（ベルトを張る方向および緩める方向）で可動となるようにして支持している。このため、テンサーバー支持装置２００により、張りすぎのエプロンベルト２１のテンションを吸収することができる。また、エプロンベルト２１のドラフトローラー（第二ボトムローラ２０）への捲きつき角度を減少させることもない。
【実施例３】
【００３１】
図５、図６を用いて、実施例３のテンサーバー支持装置３００について説明する。
実施例１と実施例３とで相違するのはテンサーバー支持装置の構成のみであり、エプロンドラフト装置についてはテンサーバー支持装置を除いて同一の構成であるので、以下では、同一部材については同符号を用いると共に、その部材についての説明を省略する。
【００３２】
テンサーバー支持装置３００も、実施例２のテンサーバー支持装置２００と同様に、ボトム側の二錘分のテンサーバー２２２・２２２をメインフレーム８に支持する装置である。
このテンサーバー支持装置３００には、テンサーバー２２２・２２２（図６）と、テンサーバーブラケット２３０（図５、図６）と、コイルスプリング２３３・２３３・・・（図６）と、が備えられている。テンサーバーブラケット２３０は、メインフレーム８に支持される構成となっている。また、コイルスプリング２３３・２３３・・・は、テンサーバー２２２・２２２を可動とするために、テンサーバーブラケット２３０に配置されるスプリング要素である。
【００３３】
図５に示すように、テンサーバーブラケット２３０の全体形状は「エ」字形状であるが、第一片２３１と第二片２３２とに分割される構成である。第一片２３１の形状は左右方向に長手の直方体であり、第二片２３２の形状は凸形状である。そして、第一片２３１と第二片２３２とを合わせた全体形状が「エ」字形状となっている。
そして、第二片２３２がメインフレーム８に固定されるものとなっている。
【００３４】
図６（ａ）、図６（ｂ）に示すように、第一片２３１の左右端部はテンサーバー２２２の取付部となっており、左右それぞれにおいて、この取付部とテンサーバー２２２とが三つのコイルスプリング２３３により連結されている。
ここで、テンサーバー２２２と、第一片２３１の左右端部に形成される取付部とは、前後方向で対向する位置関係になっている。そして、三つのコイルスプリング２３３の弾性力も、テンサーバー２２２および取付部に対して、前後方向で作用するものとなっている。
【００３５】
このように、スプリング要素としてのコイルスプリング２３３・２３３・２３３は、テンサーバー２２２を、エプロンベルト２１の作用する方向（ベルトを張る方向および緩める方向）で可動となるようにして支持している。このため、テンサーバー支持装置３００により、張りすぎのエプロンベルト２１のテンションを吸収することができる。また、エプロンベルト２１のドラフトローラー（第二ボトムローラ２０）への捲きつき角度を減少させることもない。
【実施例４】
【００３６】
図５、図７を用いて、実施例４のテンサーバー支持装置４００について説明する。
実施例１と実施例４とで相違するのはテンサーバー支持装置の構成のみであり、エプロンドラフト装置についてはテンサーバー支持装置を除いて同一の構成であるので、以下では、同一部材については同符号を用いると共に、その部材についての説明を省略する。
【００３７】
テンサーバー支持装置４００も、実施例３のテンサーバー支持装置３００と同様に、ボトム側の二錘分のテンサーバー２２２・２２２をメインフレーム８に支持する装置である。特に実施例３との相違は、テンサーバー２２２・２２２を可動とするために、テンサーバーブラケット２３０に配置されるスプリング要素の相違のみである。このスプリング要素が実施例３ではコイルスプリング２３３・２３３・・・であったが、実施例３では板バネ３３３である。
【００３８】
このテンサーバー支持装置４００には、テンサーバー２２２・２２２（図７）と、テンサーバーブラケット２３０（図５、図７）と、板バネ３３３・３３３（図７）と、が備えられている。この板バネ３３３は、細長い板状部材を四箇所で折曲して断面形状をＶ字状として形成された板バネである。
【００３９】
図７（ａ）、図７（ｂ）に示すように、第一片２３１の左右端部はテンサーバー２２２の取付部となっており、左右それぞれにおいて、この取付部とテンサーバー２２２とが三つの板バネ３３３により連結されている。
ここで、テンサーバー２２２と、第一片２３１の左右端部に形成される取付部とは、前後方向で対向する位置関係になっている。そして、板バネ３３３の弾性力も、テンサーバー２２２および取付部に対して、前後方向で作用するものとなっている。
【００４０】
このように、スプリング要素としての板バネ３３３は、テンサーバー２２２を、エプロンベルト２１のテンションの作用する方向（ベルトを張る方向および緩める方向）で可動となるようにして支持している。このため、テンサーバー支持装置４００により、張りすぎのエプロンベルト２１のテンションを吸収することができる。また、エプロンベルト２１のドラフトローラー（第二ボトムローラ２０）への捲きつき角度を減少させることもない。
【図面の簡単な説明】
【００４１】
【図１】エプロンドラフト装置を示す側面図。
【図２】テンサーバー支持装置を示す斜視図（実施例１）。
【図３】テンサーバー支持装置を示す斜視図（実施例２）。
【図４】テンサーバー支持装置を示す平面図（実施例２）。
【図５】テンサーバーブラケットを示す斜視図（実施例３、４）。
【図６】テンサーバーおよび該テンサーバーの取付部を示す斜視図（実施例３）
【図７】テンサーバーおよび該テンサーバーの取付部を示す斜視図（実施例４）
【図８】従来のテンサーバー支持装置を示す斜視図。
【符号の説明】
【００４２】
１    エプロンドラフト装置
８    メインフレーム
２１    エプロンベルト
２２・１２２・２２２    テンサーバー
３０・１３０・２３０    テンサーバーブラケット
３１・１３１    第一片
３２・１３２    第二片
３３・３３３    板バネ
１３３    トーションバネ
１３４    アーム
２３３    コイルスプリング
【図１】
2008081865.tif 000003
【図２】
2008081865.tif 000004
【図３】
2008081865.tif 000005
【図４】
2008081865.tif 000006
【図５】
2008081865.tif 000007
【図６】
2008081865.tif 000008
【図７】
2008081865.tif 000009
【図８】
2008081865.tif 000010
【手続補正書】
【提出日】平成18年12月13日(2006.12.13)
【手続補正１】
【補正対象書類名】特許請求の範囲
【補正対象項目名】請求項２
【補正方法】変更
【補正の内容】
【請求項２】
エプロンドラフト装置のボトム側のエプロンベルトの張りと位置とを規制するテンサーバーを支持する装置であって、
前記テンサーバーを前記エプロンドラフト装置のフレームに支持するテンサーバーブラケットを、前記テンサーバーを支持する第一片と、前記フレームに固定される第二片との分割構成とすると共に、
前記テンサーバーを前記エプロンベルトのテンションの作用する方向で可動とするためのスプリング要素として、第一片および第二片を連結する板バネを備える、
ことを特徴とするテンサーバー支持装置。
【手続補正２】
【補正対象書類名】明細書
【補正対象項目名】０００７
【補正方法】変更
【補正の内容】
【０００７】
請求項２に係るテンサーバー支持装置は、次の構成としたものである。
エプロンドラフト装置のボトム側のエプロンベルトの張りと位置とを規制するテンサーバーを支持する装置であって、
前記テンサーバーを前記エプロンドラフト装置のフレームに支持するテンサーバーブラケットを、前記テンサーバーを支持する第一片と、前記フレームに固定される第二片との分割構成とすると共に、
前記テンサーバーを前記エプロンベルトのテンションの作用する方向で可動とするためのスプリング要素として、第一片および第二片を連結する板バネを備える、ものである。